(57)【要約】【課題】  遊技客毎の持玉の検出精度を高めることができる不正遊技検出装置を提供する。【解決手段】  管理装置６は、パチンコ遊技機１からの信号及び台間玉貸機からの売上信号に基づいて各パチンコ遊技機１における持玉を求め、計数機７で計数が行われたときは、計数値と持玉とを比較し、許容範囲を上回って異なっていたときは、不正が発生したことを報知する。ここで、持玉の精度を高めるために売上が発生したときは、持玉を初期化するようにしているものの、プリペイドカードの使用時の制限により、遊技客によっては、多数の持玉がある状態でプリペイドカードの残り金額を使い切ってしまうことがあり、計数値と持玉とが異なる。そこで、管理装置６は、持玉が設定値（＋５００）以上の状態で売上が発生したときは、持玉履歴を作成し、計数時に計数値と持玉とが異なったときは、直前の非照合の持玉履歴が示す持玉を現在の持玉に加算して照合を行う。【選択図】  図１
2006095044.tif 000002
【特許請求の範囲】
【請求項１】
遊技機に対応して設けられ、遊技媒体を貸出したときは売上を通知する貸出手段と、
遊技機毎の持玉を演算する演算手段と、
客交替と推測される所定条件が成立したときは前記演算手段が演算している持玉を時系列的に記憶する記憶手段と、
遊技媒体を計数したときは計数値を通知すると共に清算操作が行われたときは清算動作を実行する計数手段と、
この計数手段が遊技媒体を計数したときは、該当する遊技機に対応して前記演算手段が演算している最新の持玉を照合基準として前記計数手段が計数した遊技媒体数と照合する照合手段とを備え、
前記照合手段は、照合結果が所定の許容範囲内で一致した場合は前記計数手段の清算動作を許可し、一致しない場合において前記記憶手段が記憶している直前の持玉が未照合のときは、その持玉を照合基準に加えて再照合を行うと共に、直前の持玉が照合済のときは不正を報知することを特徴とする遊技データ管理システム。
【請求項２】
前記演算手段は、前記貸出手段が遊技媒体を貸出したときは持玉を初期化し、
前記記憶手段は、持玉が設定値以上の状態で前記貸出手段が売上を通知したときに所定条件が成立したとすることを特徴とする請求項１記載の遊技データ管理システム。
【請求項３】
前記記憶手段は、持玉が設定値以上の状態で前記貸出手段が売上を通知することにより所定条件が成立してから、前記記憶手段が記憶している直前の持玉を前記照合手段が照合するまでの期間に売上が発生したときに所定条件が成立したとすることを特徴とする請求項２記載の遊技データ管理システム。
【請求項４】
客交替が入力される客交替入力手段を備え、
前記記憶手段は、前記客交替入力手段が客交替を入力されたときに所定条件が成立したとすることを特徴とする請求項１記載の遊技データ管理システム。
【請求項５】
前記照合手段は、前記記憶手段が記憶している複数の遊技機の持玉を照合基準として照合を行うことを特徴とする請求項１記載の遊技データ管理システム。
【発明の詳細な説明】
【技術分野】
【０００１】
本発明は、遊技機毎の持玉に基づいて不正を検出する遊技データ管理システムに関する。
【背景技術】
【０００２】
遊技客による不正を検出する方法として、特許文献１のものでは、差玉を売上げが発生する毎に初期化し、その差玉が所定値（売上玉）以上となったときは不正が行われたと判断したり、営業開始からの差玉が所定値（売上玉）以上となったときに不正が行われたと判断したりするようにしている。
前者の場合は、持玉がない状態でしか売上が発生しないという条件が前提となり、また、後者の場合は、台移動は少量の持玉であっても禁止という条件が前提となる。
【特許文献１】特許第２８３７４８１号公報
【発明の開示】
【発明が解決しようとする課題】
【０００３】
しかしながら、遊技店の実情を見ると、予めプリペイドカードを購入し、そのプリペイドカードに記憶してある価値を使用して遊技を行うカードシステムを導入している遊技店が多い。この場合、プリペイドカードの価値を使い切った状態で大当りが発生して多数の持玉を保有することは稀であり、大抵はプリペイドカードに価値を残した状態で大当りが発生する。
【０００４】
ところで、カードシステムは不正防止のため、プリペイドカードをその遊技店でのみ使用可能としたり、有効期限を付けたりするなど、プリペイドカードの価値を残して次回使用することに対して制約が多く、遊技客の心理としては、プリペイドカードを購入した当日に使用しようとする。
また、プリペイドカードの清算機を設置している遊技店も存在するものの、清算機まで一々出向いて清算するのは面倒である。さらに、遊技玉を景品に交換する際の交換レートは等価交換に近くなっている。
【０００５】
このような事情により、遊技客の中には、持玉があるにもかかわらず、プリペイドカードに残された価値を消化してしまうことがあり、差玉を売上が発生する毎に初期化したのでは、不正検出のためのデータの信頼性が失われてしまうと共に、遊技店が許容する行為に対しても不正検出を行ってしまうことになる。
【０００６】
一方、持玉の移動を許容した遊技店では、売上玉と差玉との関係が崩れてしまうので、持玉の移動による不正検出は困難である。
このように持玉が不正確となる結果、計数機による遊技媒体の計数値と持玉の比較も不正確となり、ゴト行為の検出精度が低下してしまって遊技店が不利益を被る。
本発明は上記事情に鑑みてなされたもので、その目的は、遊技機毎の持玉の検出精度を高めることができる遊技データ管理システムを提供することにある。
【課題を解決するための手段】
【０００７】
本発明は、遊技機に対応して遊技媒体を貸出したときは売上を通知する貸出手段を設け、遊技機毎の持玉を演算する演算手段を設け、客交替と推測される所定条件が成立したときは前記演算手段が演算している持玉を時系列的に記憶する記憶手段を設け、遊技媒体を計数したときは計数値を通知すると共に清算操作が行われたときは清算動作を実行する計数手段を設け、この計数手段が遊技媒体を計数したときは、該当する遊技機に対応して前記演算手段が演算している最新の持玉を照合基準として前記計数手段が計数した遊技媒体数と照合する照合手段を設けた上で、前記照合手段は、照合結果が所定の許容範囲内で一致した場合は前記計数手段の清算動作を許可し、一致しない場合において前記記憶手段が記憶している直前の持玉が未照合のときは、その持玉を照合基準に加えて再照合を行うと共に、直前の持玉が照合済のときは不正を報知するものである（請求項１）。
【０００８】
上記構成において、前記演算手段は、前記貸出手段が遊技媒体を貸出したときは持玉を初期化し、前記記憶手段は、持玉が設定値以上の状態で前記貸出手段が売上を通知したときに所定条件が成立したとするようにしてもよい（請求項２）。
また、前記記憶手段は、持玉が設定値以上の状態で前記貸出手段が売上を通知することにより所定条件が成立してから、前記記憶手段が記憶している直前の持玉を前記照合手段が照合するまでの期間に売上が発生したときに所定条件が成立したとするようにしてもよい（請求項３）。
【０００９】
また、客交替が入力される客交替入力手段を設けた上で、前記記憶手段は、前記客交替入力手段が客交替を入力されたときに所定条件が成立したとするようにしてもよい（請求項４）。
前記照合手段は、前記記憶手段が記憶している複数の遊技機の持玉を照合基準として照合を行うようにしてもよい（請求項５）。
【発明の効果】
【００１０】
請求項１の発明によれば、遊技客が遊技媒体の貸出しを受ける場合は、持玉がほぼ零とみなすことができるので、売上手段が遊技媒体を売上げたときに演算手段が持玉を初期化することにより、持玉の精度を高めることができる。また、記憶手段は、客交替と推測される所定条件が成立したときは持玉を時系列に記憶するので、客交替時と推測される際の持玉を順に記憶することができる。
【００１１】
遊技客が計数手段で持玉を計数した場合は、計数手段による計数値と客交替時の持玉が理論的には一致するはずであることから、照合手段は、記憶手段に記憶されている最新の持玉を照合基準として計数手段が計数した遊技媒体数と照合する。
そして、照合手段は、照合結果が所定の許容範囲内で一致した場合は計数手段の清算動作を許可するので、計数手段による清算動作が行われる。
【００１２】
ところで、客交替を正確に検出することは困難であることから、客交替以外のタイミングで記憶手段に持玉が記憶されることがある。このような場合は、照合手段による照合結果が所定の許容範囲内で一致しないことになるので、不正が行われていないにもかかわらず照合手段の清算動作が行われなくなる。
しかしながら、請求項１の発明によれば、照合手段は、照合結果が所定の許容範囲内で一致しない場合において記憶手段が記憶している直前の持玉が未照合のときは、その持玉を照合基準に加えて再照合を行うので、最新の持玉が計数手段による計数値と異なっているにしても、照合を正しく行うことができるようになる。このような照合の結果、照合結果が所定の許容範囲内で一致した場合は計数手段の清算動作が許可される。また、照合手段は、照合すべき持玉がなくなったときは、不正が行われたと判断して不正を報知する。従って、遊技店の従業員は、照合手段により不正が報知されたときは、計数手段で計数している遊技客が不正している可能性があると判断して適切に対処する。
【００１３】
遊技客によっては、多数の持玉がありながら例えば手持ちのプリペイドカードを使い切ってしまうことがあり、このような場合、持玉が初期化されてしまうことから、客交替時の持玉と計数手段による計数値とが一致しなくなる。
しかしながら、請求項２の発明によれば、遊技客が設定値以上の持玉がある状態で貸出手段から遊技媒体の貸出しを受けた場合は、記憶手段に持玉が記憶されるので、遊技客が、持玉がある状態で貸出手段から遊技媒体の貸出しを受けた場合であっても、その時点で確定した持玉を照合基準に加算することができ、持玉の照合を確実に行うことができる。
【００１４】
遊技客が、持玉が設定値以上の状態で貸出手段から遊技媒体の貸出しを受けた後に、持玉が少量の状態で貸出手段から遊技媒体の貸出しを受けた場合は、その時点の持玉を管理することができなくなり、請求項２の発明による持玉の照合ができなくなる。
しかしながら、請求項３の発明によれば、記憶手段は、持玉が設定値以上の状態で貸出手段が売上を通知することにより所定条件が成立した以降に、持玉が設定値未満の状態で売上が発生したときに所定条件が成立したとするので、遊技客が、持玉が設定値以上の状態で貸出手段から遊技媒体の貸出しを受けた後に、持玉が少量の状態で貸出手段から遊技媒体の貸出しを受けた場合であっても、その時点で確定した持玉を照合対象に含めることができ、持玉の照合を確実に行うことができる。
【００１５】
請求項４の発明によれば、記憶手段は、客交替のタイミングで持玉を記憶するので、計数手段の計数値と持玉とを精度よく一致させることができ、不正検出の精度を高めることができる。
請求項５の発明によれば、遊技客が持玉を持って複数の遊技機を移動した場合であっても、計数手段の計数値と持玉とを精度よく一致させることができる。
【発明を実施するための最良の形態】
【００１６】
（第１実施例）
以下、本発明をパチンコ遊技機の遊技データの管理システムに適用した第１実施例について図１ないし図１５を参照して説明する。
図１には遊技データ管理システムの全体構成が概略的に示されている。この図１において、遊技場内には複数のパチンコ遊技機１が設置されている。このパチンコ遊技機１は所謂ＣＲ（カードリーダ）機である。また、各パチンコ遊技機１の上方に呼出ランプユニット２が設置されていると共に、パチンコ遊技機１に隣接して遊技媒体としてのパチンコ玉を貸し出すためのＣＲユニット（貸出手段に相当）３が設置されている。この場合、島毎に対応して第１中継機４が設けられていると共に、２台ずつの呼出ランプユニット２に対応して第２中継機５が設けられており、パチンコ遊技機１及びＣＲユニット３は、遊技場の管理事務所内に設置された管理装置（演算手段、記憶手段、照合手段に相当）６との間での呼出ランプユニット２、第２中継機５及び第１中継機４を介してデータ送受信を行う構成となっている。尚、呼出ランプユニット２から管理装置６へは、周知の売上信号（ＣＲユニット３の売上を示す）、アウト玉数信号（パチンコ遊技機１への打ち込み玉数を示す）、セーフ玉数信号（パチンコ遊技機１からの払い出し玉数を示す）が出力されると共に、始動信号（図柄変動の開始を示す）、大当たり信号（大当たり中であることを示す）、確変信号（確率変動中であることを示す）が出力される。
【００１７】
ＣＲユニット３は、図示しないプリペイドカードが挿入された状態で当該プリペイドカードに記憶された残高金額データの範囲内でパチンコ玉を貸し出す機能を備えたものである。尚、ＣＲユニット３によるパチンコ玉の貸し出し動作は、パチンコ遊技機１側に設けられた貸出スイッチ（図示せず）が操作されたときに、当該パチンコ遊技機１内のパチンコ玉放出機構へ放出指令を与えることにより行われるものである。このＣＲユニット３から管理装置６へは、プリペイドカードによる売上を示す売上信号が送信される。
【００１８】
計数機（計数手段に相当）７は、投入されたパチンコ玉を計数する際は、管理装置６が記憶している持玉と計数玉とを照合して後述するように不正検出を行う。
管理装置６は、呼出ランプユニット２を通じて従業員が携帯するリモコン装置８からリモコン信号を入力したときは、後述するようにリモコン信号の種別に応じて持玉を処理するようになっている。
【００１９】
図２は、リモコン装置８の平面を示している。この図２において、リモコン装置８には各種ボタンが設けられており、呼出ランプユニット２を通じて管理装置６に対して各種指令を送信することができるものの、本実施例では、Ｎｏ．ボタン９、「確定送」ボタン１０のみを使用するようになっている。尚、後述する本発明の第２実施例では、「客交替」ボタン１１を使用するようになっている。
【００２０】
次に、上記構成の作用について説明する。
管理装置６は、パチンコ遊技機１から出力される信号に基づいてパチンコ遊技機１毎の累計アウト、累計セーフ、累計売上、遊技客の持玉を管理すると共に、その持玉に基づいて計数時の不正検出を行っている。
図３は、管理装置６の動作を示すフローチャートである。この図３において、管理装置６は、アウト信号入力処理（Ｓ１００）、セーフ信号入力処理（Ｓ２００）、売上信号入力処理（Ｓ３００）、確認信号入力処理（Ｓ４００）、再確認信号入力処理（Ｓ５００）、計数情報信号入力処理（Ｓ６００）を繰り返して実行している。
【００２１】
遊技客が、ＣＲユニット３に有効なプリペイドカードを挿入した状態でパチンコ遊技機１の貸出スイッチを押下操作すると、パチンコ遊技機１からパチンコ玉が貸出されると同時に、ＣＲユニット３から売上信号が管理装置６に出力される。この場合、パチンコ遊技機１では、パチンコ玉の貸出しの１単位が１０００円であるのが通常であることから、パチンコ遊技機１の貸出スイッチに対する１操作により２５０玉が貸出される。
【００２２】
図６は、管理装置６の売上信号入力処理を示している。この図６において、管理装置６は、売上信号が入力したときは（Ｓ３０１：ＹＥＳ）、累計売上をインクリメントし（Ｓ３０２）、直前の持玉履歴が有るかを判断する（Ｓ３０３）。開店直後においては直前の持玉履歴は無いので（Ｓ３０３：ＮＯ）、現在の持玉が設定値Ｎ（＋５００玉）以上でないことを確認してから（Ｓ３０５：ＮＯ）、持玉を初期化し（Ｓ３０８）、さらに持玉をインクリメントする（Ｓ３０９）。
以上の動作により、パチンコ玉の売上が発生する毎に、持玉が初期化される。
【００２３】
図１４は、一台のパチンコ遊技機１の売上時及び計数時の持玉を含む各玉数の変化の一例を示している。このデータは管理装置６が作成するものではなく、売上が発生する毎或いは計数機７による計数が行われる毎に、その時点の時刻、売上玉、アウト玉、セーフ玉、持玉（売上玉＋セーフ玉−アウト玉）、計数玉を時系列で順に示したものである。尚、確認、送信、エラーについては後述する。
図１４に示す例では、９時５分に最初の売上（１０００円）が発生したことを示している。この場合、アウト、セーフ及び持玉が零の状態で売上が発生することから、売上玉として２５０玉、他は零となる。
【００２４】
そして、遊技客が、上述のようにして貸出しを受けたパチンコ玉をパチンコ遊技機１に打ち込むと、パチンコ遊技機１からアウト玉が排出されると同時にアウト信号が管理装置６に出力される。
図４は、管理装置６のアウト信号入力処理を示すフローチャートである。この図４において、管理装置６は、アウト信号が入力したときは（Ｓ１０１：ＹＥＳ）、累計アウトをインクリメントしてから（Ｓ１０２）、持玉をデクリメントする（Ｓ１０３）。
【００２５】
パチンコ遊技機１に打込まれたパチンコ玉が入賞すると、パチンコ遊技機１からセーフ玉が払い出されると同時にセーフ信号が管理装置６に出力される。
図５は、管理装置６のセーフ信号入力処理を示している。この図５において、セーフ信号が入力したときは（Ｓ２０１：ＹＥＳ）、累計セーフをインクリメントしてから（Ｓ２０２）、持玉をインクリメントする（Ｓ２０３）。
以上のような基本的な動作により、持玉は、売上信号或いはセーフ信号の入力に応じて増加し、アウト信号の入力に応じて減少する。
【００２６】
さて、遊技客が持玉を使い切ったり、或いは持玉の数が少なくなったりしたときは、パチンコ遊技機１の貸出スイッチに対する操作によりパチンコ玉の貸出しを受ける。
図１４に示す例では、９時１０分に次の売上が発生し、そのときの売上玉が２５０玉、アウト玉が３２１玉、セーフ玉が８３玉、持玉が１２玉（２５０玉＋８３玉−３２１玉）であることを示している。
【００２７】
パチンコ遊技機１で大当りが発生すると、短時間で多数のセーフ玉が払い出されて持玉が一気に増加するので、手持ちの持玉を景品に交換するために遊技客が遊技を終了する場合が往々にあり、このような場合は、遊技客が持玉の全てを玉箱に収納して遊技を終了しようとする。このとき、従業員は、遊技客が遊技終了することを確認したときは、遊技終了となった台番号を覚えておく。
【００２８】
そして、遊技客が玉箱を計数機７まで運び、玉箱に収納されているパチンコ玉を計数機７に投入すると、計数機７による計数が開始する。
図１０は、計数機７の動作を示すフローチャートである。この図１０において、計数機７は、計数処理（Ｔ１００）、信号入力処理（Ｔ２００）、発券処理（Ｔ３００）を繰り返して実行している。
【００２９】
計数機７に投入されたパチンコ玉は計数センサを通過するので、計数機７は、図１１に示す計数処理において、計数センサがパチンコ玉の通過を検知する毎に（Ｔ１０１：ＹＥＳ）、計数玉をインクリメントする（Ｔ１０２）。
ここで、従業員は、遊技客が計数機７でパチンコ玉の計数を終了したときは、リモコン装置８を計数機７に向けた状態で覚えていた台番号を入力して送信する。つまり、リモコン装置８のＮｏ．ボタン９で台番号を入力してから、「確定送」ボタン１０を操作する。これにより、リモコン装置８から計数機７に台番号を示す台番号信号が送信される。
【００３０】
計数機７は、図１２に示す信号入力処理において、リモコン装置８より台番号信号を入力したときは（Ｔ２０１：ＹＥＳ）、確認信号を管理装置６に出力する（Ｔ２０２）。
管理装置６は、図７に示す確認信号入力処理において、確認信号を入力したときは（Ｓ４０１：ＹＥＳ）、現在の持玉情報を計数機７へ出力する（Ｓ４０２）。つまり、図１４に示す例では、１０時に計数機７から確認信号を入力し、その時点における持玉情報のアウト玉として２３２０玉、セーフ玉として６１６０玉、持玉として４０９０玉が計数機７に出力される。尚、持玉情報として持玉のみを出力するようにしてもよい。
【００３１】
次に、持玉履歴レコード作成し（Ｓ４０３）、作成した持玉履歴レコードに現在の持玉情報を記憶すると共に（Ｓ４０４）、確認、送信済であることを記憶してから（Ｓ４０５）、持玉を初期化する（Ｓ４０６）。
以上のような動作により、新たな持玉履歴レコードが作成される。つまり、持玉履歴を示す図１５において、Ｎｏ．１のレコードが作成され、そのレコードに時刻として１０時、持玉として４０９０玉に加えて、確認、送信済が記憶される。
【００３２】
計数機７は、図１２に示す信号入力処理において、管理装置６から持玉情報信号を入力したときは（Ｔ２０３：ＹＥＳ）、入力した持玉を持玉情報に加算する（Ｔ２０４）。つまり、図１５に示す例では、１０時に行われた計数時に持玉情報としての４０９０玉が現在の持玉情報としての零に加算されることになることから、持玉情報が４０９０玉となり、これが照合基準となる。この場合、計数玉と持玉との差が３０玉で、許容範囲である５００玉以内であるので、計数機７は、計数玉は持玉とほぼ等しいと判断し（Ｔ２０５：ＹＥＳ）、発券フラグをセットする（Ｔ２０６）。
以上のような計数機７の動作は極めて短時間に行われることから、従業員がリモコン装置８を操作してから短時間で計数機７の発券フラグがセットされることになる。
【００３３】
そして、遊技客は、計数機７による計数が終了したときは、計数機７の発券ボタンを押下操作する。
計数機７は、図１３に示す発券処理において、発券フラグがセットされた状態で（Ｔ３０１：ＹＥＳ）、発券ボタンが押下操作されたときは（Ｔ３０２：ＹＥＳ）、計数玉が印刷された計数レシートを発券すると共に（Ｔ３０３）、計数情報信号を管理装置６に出力してから（Ｔ３０４）、発券フラグをリセットし（Ｔ３０５）、さらに持玉情報を初期化する（Ｔ３０６）。
尚、貯玉システムを採用している遊技店の場合は、計数レシートを発券するのに代えて、貯玉されることになる。つまり、計数玉は、計数レシートが発行されるか、貯玉されることにより清算されることになる。
【００３４】
管理装置６は、図９に示す計数情報信号入力処理において、計数情報信号を入力したときは（Ｓ６０１：ＹＥＳ）、該当持玉履歴に計数情報を記憶すると共に（Ｓ６０２）、誤差を記憶する（Ｓ６０３）。
以上の動作により、図１５に示す例では、持玉履歴のＮｏ．１のレコードに、計数玉として４１２０玉、誤差として−３０玉が記憶される。
【００３５】
ところで、パチンコ遊技機１がＣＲ機の場合、プリペイドカード使用時の制約から、遊技客が、多量の持玉を持ちながら、プリペイドカードの残り価値を全て使い切ってしまうことがある。このような場合、本実施例では売上が発生する毎に持玉を初期化していることから、大きな持玉を初期化した場合、計数機７による計数玉と管理装置６の持玉情報とに大きな誤差を生じ、計数機７による発券動作を正しく行うことができなくなる。
【００３６】
そこで、本実施例では、計数機７による計数時に加えて設定値以上の持玉で売上が発生したときも持玉履歴を作成するようにした。
ここで、遊技客が、持玉があるのにもかかわらずプリペイドカードの残り価値を使い切ってしまう場合としては、遊技客が何度か大当りを当てて現在の持玉のみで遊技ができると判断した場合、或いは遊技客が現在の持玉を景品交換するために遊技を終了する場合である。前者の場合は、多数の持玉で行われる可能性が高いものの、後者の場合は、少量の持玉でも行われることが想定される。設定値を大きく設定した場合は、持玉履歴のレコード数が過度に多くなることはないものの、持玉を初期化することから、設定値以下で売上が発生した場合の誤差が大きくなる。また、設定値を小さく設定した場合は、持玉の誤差が小さくなるものの、持玉履歴のレコード数が多くなり、管理装置６の負担が大きくなる。従って、本実施例では、持玉履歴のレコードが過度に多くなく、さらに誤差が小さくなる条件として設定値を＋５００玉に設定した。この場合、５００玉以下で売上が発生したときは、その時点の持玉が誤差となるものの、このような条件が発生することは稀有であると共に、後述するように持玉を推定する際の許容誤差を±５００玉とし、誤差が不正の誤検出の要因とならないようにした。
【００３７】
即ち、管理装置６は、図６に示す売上信号入力処理において、売上信号が入力した際に直前の持玉履歴が有る場合は（Ｓ３０３：ＹＥＳ）、直前の持玉履歴は計数機７に送信済かを判断する（Ｓ３０４）。この場合、上述したように計数機７による計数が行われたことにより作成された持玉履歴は送信済であることから（Ｓ３０４：ＹＥＳ）、現在の持玉が設定値Ｎ（＋５００玉）以上かを判断し（Ｓ３０５）、持玉が設定値Ｎ以上の場合は（Ｓ３０５：ＹＥＳ）、持玉履歴レコードを作成する（Ｓ３０６）。
【００３８】
次に、作成した持玉履歴レコードに現在の持玉を記憶すると共に（Ｓ３０７）、持玉を初期化してから（Ｓ３０７）、持玉をインクリメントする（Ｓ３０９）。
以上のような持玉履歴のレコード作成により、図１５に示す持玉履歴の例のように、Ｎｏ．２のレコードが作成され、そのレコードに時刻として１２時５０分、持玉として１５８６５玉が記憶される。この場合、計数によるレコード作成でないことから、レコードに確認、送信済が記憶されることはない。
このようにしてプリペイドカードの残り価値を使い切った遊技客が遊技を終了した場合、その時点の持玉は、図１５に示す持玉履歴のＮｏ．２のレコードが作成されてからの持玉となる。
【００３９】
そして、遊技を終了した遊技客が持玉を計数機７で計数すると、上述した場合と同様にして、管理装置６において図１５に示す持玉履歴のＮｏ．３レコードが作成されると共に、計数機７において計数玉と管理装置６からの持玉情報との比較が行われる。この場合、計数機７は、図１２に示す信号入力処理のステップＳ２０５において、計数玉（１２３１６玉）と持玉（−３５５１玉）とが大きく異なる（−３５５１玉−１２３１６玉＝−１５８６７玉であり、±５００玉以上の誤差である）と判断し（Ｔ２０５：ＮＯ）、再確認信号を管理装置６へ出力する（Ｔ２０９）。
【００４０】
管理装置６は、図８に示す再確認信号入力処理において、再確認信号を入力したときは（Ｓ５０１：ＹＥＳ）、送信した持玉情報の直前に持玉履歴が有ることを確認すると共に（Ｓ５０２：ＹＥＳ）、その直前の持玉履歴が送信済みでないことを確認してから（Ｓ５０３：ＮＯ）、直前の持玉履歴の持玉情報を示す持玉情報信号を計数機７に送信し（Ｓ５０４）、さらに直前の持玉履歴に送信済を記憶する（Ｓ５０５）。
【００４１】
計数機７は、図１２に示す信号入力処理において、持玉情報信号が入力したときは（Ｔ２０３：ＹＥＳ）、入力した持玉情報を持玉情報に加算し（Ｔ２０４）、計数玉と持玉とが許容誤差が±５００玉の範囲内で一致するかを判断する（Ｔ２０５）。
図１５に示す持玉履歴の例では、Ｎｏ．３レコードの持玉が−３５５１玉、Ｎｏ．２レコードの持玉が１５８６５玉であることから、それらの合計は１２３１４玉となると共に、計数玉が１２３１６玉で、持玉との誤差は−２玉となることから、正常な計数であると判断する。
同様にして＋５００玉以上で売上が発生した場合は持玉履歴を作成し、計数時の計数玉と持玉とが大きく異なった場合は、持玉履歴を順に遡った持玉情報を現在の持玉情報に加算することにより計数を照合する。
【００４２】
図１５に示す持玉履歴のＮｏ．４レコードでは、遊技客が何度からの大当り後に現在の持玉（９９１０玉）で遊技できると判断してプリペイドカードの残り価値を使い切った場合で、Ｎｏ．５レコードの持玉には、Ｎｏ．４レコード作成時からの持玉として２４２玉が記憶され、Ｎｏ．６レコードの持玉には計数時の持玉として−４２８８玉、計数玉として５８１９玉が記憶される。この場合、持玉と計数玉とが大きく異なることから、現在の持玉にＮｏ．５レコードの持玉を加算するにしても足りず、さらにＮｏ．４レコードの持玉を加算することにより計数玉と誤差４５玉で一致したことを示している。
【００４３】
さて、遊技客が不正な方法でパチンコ玉を取得した場合、上述のようにして計数機７が再確認信号を管理装置６に送ることにより取得した直前の持玉情報を現在の持玉情報に加算するにしても、許容誤差内で一致することはないことから、再確認信号を管理装置６に繰返して出力する。
管理装置６は、図８に示す再確認信号入力処理において、再確認信号を入力した際に、直前の持玉履歴が送信済の場合は（Ｓ５０３：ＹＥＳ）、送信すべき持玉履歴が無いと判断してエラー信号を計数機７に出力すると共に（Ｓ５０６）、該当持玉履歴にエラー及び誤差を記憶する（Ｓ５０７）。
【００４４】
計数機７は、図１２に示す信号入力処理において、管理装置６からエラー信号を入力したときは（Ｔ２０７：ＹＥＳ）、エラーを表示する（Ｔ２０８）。
図１５に示す持玉履歴の例では、Ｎｏ．７のレコードの計数玉が５１６２玉、持玉が３３２２玉で、持玉が計数玉より１８４０玉少なく、さらに直前の持玉履歴であるＮｏ．６レコードが送信済となっていることから、エラーとなる。従って、従業員は、計数機７に対してリモコン装置８の台番号を入力した際に計数機７にエラーが表示されたときは、計数している遊技客が不正を行った可能性があると判断して適切に対処する。
尚、エラー発生時に発券しないようにしてもよいし、発券するようにしてもよい。また、発券時にエラーである旨を計数レシートに印字するようにしてもよい。
【００４５】
このような実施例によれば、管理装置６は、設定値Ｎ（＋５００玉）以上の持玉がある状態で売上が発生した場合は持玉履歴を作成すると共に、それ以降においては設定値Ｎ未満で売上が発生したときも持玉履歴を作成し、計数機７から再確認信号を入力したときは、直前の未送信の持玉履歴情報を計数機７に送信すると共に送信すべき持玉履歴が無いときはエラーを計数機７に送信し、計数機７は、入力した持玉履歴情報を現在の照合基準に加算して再照合し、持玉と計数玉とが許容範囲内で一致しない場合は、最確認信号を管理装置６に送信することを繰返すと共に、管理装置６からエラー信号を入力したときはエラーを表示するようにしたので、遊技客が、持玉がある状態でパチンコ玉の貸出しを受けた場合であっても、持玉の精度を高めることができ、遊技客の不正を確実に検出することができる。
【００４６】
しかも、売上が発生した際に持玉履歴を作成する条件として、持玉が＋５００玉以上とすると共に不正判断の許容範囲を±５００玉としたので、持玉履歴のレコードが過度に多くなり、管理装置６の負担が大きくなってしまうことを防止しながら、＋５００玉以下で売上が発生することが稀有であるという実情下では、許容範囲が不正の誤判断の要因となってしまうことを防止できる。
【００４７】
（第２実施例）
以下、本発明の第２実施例を図１６及び図１７を参照して説明する。この第２実施例は、管理装置６は、客交替時に持玉履歴を作成するようにした点である。
従業員は、遊技客が交代したときは、呼出ランプユニット２にリモコン装置８を向けた状態で図２示す「客交替」ボタン１１を操作する。これにより、呼出ランプユニット２を通じて管理装置６に客交替信号が送信される。この場合、呼出ランプユニット２が客交替入力手段として機能する。
【００４８】
管理装置６は、図１６に示す客交替信号入力処理において、客交替信号を入力したときは（Ｕ１０１：ＹＥＳ）、持玉履歴レコードを作成し（Ｕ１０２）、そのレコードに現在の現在の持玉情報及び客交替ボタン押下げを記憶すると共に（Ｕ１０３）、持玉を初期化してから（Ｕ１０４）、客交替を記憶する（Ｕ１０５）。
遊技客が持玉を計数した際に従業員が計数機７に向けたリモコン装置８に台番号を入力した際は、計数機７から管理装置６に確認信号が出力される。
【００４９】
管理装置６は、図１７に示す確認信号入力処理において、計数機７から確認信号を入力したときは（Ｕ２０１：ＹＥＳ）、直前の持玉履歴に客交替ボタン押下が記憶されているかを判断し（Ｕ２０２）、客交替ボタン押下が記憶されている場合は（Ｕ２０２：ＹＥＳ）、計数機７による計数は直前の遊技客によるものであるとして、直前の持玉履歴の持玉情報信号を出力してから（Ｕ２０８）、確認、送信済を記憶する（Ｕ２０７）。この場合、計数玉が直前の持玉履歴の持玉は一致するのが通常である。
【００５０】
これに対して、直前の持玉履歴に客交替ボタン押下が記憶されていない場合は（Ｕ２０２：ＮＯ）、計数機７による計数は今まで遊技していた遊技客によるものであるとして、現在の持玉情報を出力すると共に（Ｕ２０３）、持玉履歴レコードを作成してから（Ｕ２０４）、持玉を初期化し（Ｕ２０６）、さらに確認、送信済を記憶する（Ｕ２０７）。この場合、現在の持玉情報は、客交替からの持玉であることから、持玉は計数値と一致するのが通常である。
【００５１】
そして、管理装置６は、第１実施例と同様に、計数機７から再確認信号を入力するにしても、送るべき持玉履歴が無い場合は、エラー信号を計数機７に出力すると共に、該当する持玉履歴にエラーを記憶し、計数機７は、管理装置６からエラー信号を入力したときはエラーを表示するので、計数機７でエラーが表示されたときは、従業員は、不正に対して適切に処理する。
【００５２】
このような実施例によれば、客交替を確認したときに持玉を確定するようにしたので、持玉履歴の持玉情報の精度を高めることができる。従って、持玉がある状態で売上があったときは持玉履歴を作成する構成の第１実施例のものと比較して、不正検出の精度を高めることができると共に、持玉履歴のレコード数の削減を図ることができる。
【００５３】
（変形例）
本発明は、上記実施例に限定されることなく、次のように変形または拡張できる。
図１４に示す売上時及び計数時のデータを売上履歴として記憶し、計数機７で照合できなかった場合は、直前の売上履歴で未照合の持玉を照合基準に加算するようにしてもよい。
計数機７が計数値と管理装置６から入力した持玉との照合を行うようにしたが、管理装置６が計数機７から計数値を入力して照合するようにしてもよい。
【００５４】
管理装置６において、入力した計数値に基づいて未照合の持玉を照合基準に加算して計数機７に送信するようにしてもよい。このようにすれば、計数機７と管理装置６との間の通信回数を減らすことが可能となり、処理の軽減や処理時間の短縮となる。
計数玉と持玉とが異なる場合は、直前の未送信の持玉情報から順に遡って持玉照合するのに代えて、最前の未送信の持玉情報から直前の未送信の持玉情報に順に下って持玉照合するようにしてもよい。この場合、持玉照合の結果、計数玉と持玉とが許容範囲内で一致したときは、照合対象の持玉情報のうち未送信の持玉情報は送信済とする必要がある。このような構成は、管理装置６が照合する場合にも適用可能である。
【００５５】
持玉を多数持って移動する行為を許容する遊技店にも対応可能なように、複数のパチンコ遊技機１の持玉情報を持玉照合の対象としてもよい。つまり、計数時に最後で遊技していた遊技台番で不正検出したときは、移動元となる遊技台番を入力し、入力された遊技台番の持玉履歴の中から未送信の持玉情報を送信し、改めて持玉照合する。この場合、移動元の遊技台番を入力するのに代えて、機種番号或いは島番号を入力し、該当する持玉情報を持つ遊技台番を検索するようにしてもよい。さらに、遊技客が台移動する際に、移動元或いは移動先の遊技機に対応する呼出ランプユニット２に対して移動先或いは移動元の遊技台番を従業員が入力し、移動先の持玉履歴に移動元の遊技台番を記録し、台移動と持玉履歴とを対応付けるようにしてもよい。
【００５６】
計数機７にリモコン装置８の各ボタンを設けるようにしてもよい。
ＣＲユニット３をパチンコ遊技機１に１対１の関係で設けるのに代えて、パチンコ玉の貸出が何れのパチンコ遊技機１に対してかを特定できれば、１対２の関係で設けるようにしてもよい。
ＣＲユニット３に代えて、台間玉貸機を設けた構成に適用するようにしてもよい。
本発明をパチスロ機に適用するようにしてもよい。
【図面の簡単な説明】
【００５７】
【図１】本発明の第１実施例におけるシステム全体を示す概略図
【図２】リモコン装置の平面図
【図３】管理装置のメイン動作を示すフローチャート
【図４】管理装置のアウト信号入力処理を示すフローチャート
【図５】管理装置のセーフ信号入力処理を示すフローチャート
【図６】管理装置の売上信号入力処理を示すフローチャート
【図７】管理装置の確認信号入力処理を示すフローチャート
【図８】管理装置の再確認信号入力処理を示すフローチャート
【図９】管理装置の計数情報信号入力処理を示すフローチャート
【図１０】計数機のメイン動作を示すフローチャート
【図１１】計数機の計数処理を示すフローチャート
【図１２】計数機の信号入力処理を示すフローチャート
【図１３】計数機の発券処理を示すフローチャート
【図１４】売上時及び計数時のデータを示す図
【図１５】持玉履歴を示す図
【図１６】本発明の第２実施例における管理装置の客交替信号入力処理を示すフローチャート
【図１７】管理装置の確認信号入力処理を示すフローチャート
【符号の説明】
【００５８】
図面中、１はパチンコ遊技機、２は呼出ランプユニット（客交替入力手段）、３はＣＲユニット（貸出手段）、６は管理装置（演算手段、記憶手段、照合手段）、７は計数機（計数手段）、８はリモコン装置である。
【図１】
2006095044.tif 000003
【図２】
2006095044.tif 000004
【図３】
2006095044.tif 000005
【図４】
2006095044.tif 000006
【図５】
2006095044.tif 000007
【図６】
2006095044.tif 000008
【図７】
2006095044.tif 000009
【図８】
2006095044.tif 000010
【図９】
2006095044.tif 000011
【図１０】
2006095044.tif 000012
【図１１】
2006095044.tif 000013
【図１２】
2006095044.tif 000014
【図１３】
2006095044.tif 000015
【図１４】
2006095044.tif 000016
【図１５】
2006095044.tif 000017
【図１６】
2006095044.tif 000018
【図１７】
2006095044.tif 000019